(57)【要約】  水滴の侵入などによって充電用接続端子部材において電気的なショートが生じても、内部回路に不具合が生じない充電式電子ペンを提供する。  蓄電素子と、筐体の開口部を介して充電用接点部が外部に露出するように充電用接続端子部材と、蓄電素子と充電用接続端子部材との間に設けられるスイッチ部材と、筐体に対して変位することで、スイッチ部材を開閉制御する制御部材とを備える。制御部材は、筐体に対して、充電用接続端子部材の充電用接点部を開口部を介して外部に露出させる第１の状態と、充電用接続端子部材の充電用接点部を外部に露出させない第２の状態とに変位可能である。制御部材が第１の状態のときには、スイッチ部材は、蓄電素子と充電用接続端子部材の充電用接点部とを電気的に接続し、第２の状態のときには、蓄電素子と充電用接続端子部材の充電用接点部とを電気的に非接続にする状態となる。
2018198489.tif 000002
【特許請求の範囲】
【請求項１】
筐体と、
前記筐体内に設けられる蓄電素子と、
前記筐体の開口部を介して充電用接点部が外部に露出するように前記筐体内に設けられる充電用接続端子部材と、
前記蓄電素子と前記充電用接続端子部材との間に設けられるスイッチ部材と、
前記筐体に対して変位することで、前記スイッチ部材を開閉制御する制御部材と、
を備え、
前記制御部材は、前記筐体に対して、前記充電用接続端子部材の前記充電用接点部を、前記開口部を介して外部に露出させる第１の状態と、前記充電用接続端子部材の前記充電用接点部を、外部に露出させない第２の状態とに、変位可能であり、
前記制御部材が前記第１の状態のときには、前記スイッチ部材は、前記蓄電素子と前記充電用接続端子部材の前記充電用接点部とを電気的に接続する状態となり、
前記制御部材が前記第２の状態のときには、前記スイッチ部材は、前記蓄電素子と前記充電用接続端子部材の前記充電用接点部とを電気的に非接続にする状態とする
ことを特徴とする充電式電子ペン。
【請求項２】
前記制御部材は、前記第２の状態では前記開口部を覆い、前記第１の状態では、前記充電用接点部を前記筐体の開口部を介して外部に露出させるようにする
ことを特徴とする請求項１に記載の充電式電子ペン。
【請求項３】
前記制御部材は、前記筐体に対して、軸心方向に位置を変位することで、前記第１の状態と第２の状態とに変位する
ことを特徴とする請求項１に記載の充電式電子ペン。
【請求項４】
前記制御部材は、前記筐体に対して、当該筐体の軸心方向の中心線を中心とした回転方向に変位することで、前記第１の状態と第２の状態とに変位する
ことを特徴とする請求項１に記載の充電式電子ペン。
【請求項５】
前記制御部材は、前記筐体に対して、軸心方向に位置を変位すると共に、前記筐体の軸心方向の中心線を中心とした回転方向に変位することで、前記第１の状態と第２の状態とに変位する
ことを特徴とする請求項１に記載の充電式電子ペン。
【請求項６】
前記制御部材は、前記筐体に設けられるクリップ部材からなる
ことを特徴とする請求項１に記載の充電式電子ペン。
【請求項７】
前記制御部材は、前記筐体のペン先側とは反対側の端部に対して嵌合されるキャップ部材からなる
ことを特徴とする請求項１に記載の充電式電子ペン。
【請求項８】
前記キャップ部材には、クリップ部材が設けられている
ことを特徴とする請求項７に記載の充電式電子ペン。
【請求項９】
前記制御部材は、前記筐体のペン先側とは反対側の端部に対して嵌合されるキャップ部材と前記筐体との間に設けられるリング状部材からなる
ことを特徴とする請求項１に記載の充電式電子ペン。
【請求項１０】
前記開口部は、前記筐体の軸心方向に沿う側面に形成されている
ことを特徴とする請求項１に記載の充電式電子ペン。
【請求項１１】
前記開口部は、前記筐体のペン先側とは反対側の端部の、前記筐体の軸心方向を向く開口部である
ことを特徴とする請求項１に記載の充電式電子ペン。
【請求項１２】
前記スイッチ部材は弾性的に変位する突起を有し、前記突起の変位に応じて前記開状態及び前記閉状態となるものであり、前記制御部材の前記筐体に対する変位により、前記突起が変位させられる
ことを特徴とする請求項１に記載の充電式電子ペン。
【請求項１３】
前記充電用接続端子部材の前記充電用接点部は、少なくとも、正側接点端子と負側接点端子を備える
ことを特徴とする請求項１に記載の充電式電子ペン。
【請求項１４】
前記充電用接続端子部材は、ＵＳＢ（Universal Serial Bus）コネクタである
ことを特徴とする請求項１に記載の充電式電子ペン。
【請求項１５】
前記充電用接続端子部材は、ＵＳＢタイプＣ規格のコネクタであり、
前記開口部は、前記筐体の軸心方向が長手方向となるように前記筐体内に設けられている
ことを特徴とする請求項１４に記載の充電式電子ペン。
【請求項１６】
前記筐体のペン先側の開口から突出する導電性の芯体を備え、
前記芯体を通じて静電結合方式により信号を送出する
ことを特徴とする請求項１に記載の充電式電子ペン。
【請求項１７】
電磁誘導方式で信号を送出する
ことを特徴とする請求項１に記載の充電式電子ペン。
【請求項１８】
前記スイッチ部材は、半導体スイッチであり、前記制御部材の変位を検出する検出手段を備え、前記検出手段の検出結果に応じて前記半導体スイッチが制御される
ことを特徴とする請求項１に記載の充電式電子ペン。
【請求項１９】
前記制御部材は、前記第２の状態では前記開口部を覆うようにし、前記第１の状態では、前記充電用接点部を前記筐体の開口部を介して外部に露出させるようにするものであると共に、
前記検出手段は、光学的手段により、前記制御部材の変位を検出する
ことを特徴とする請求項１８に記載の充電式電子ペン。
【請求項２０】
前記検出手段は、磁気的手段により、前記制御部材の変位を検出する
ことを特徴とする請求項１８に記載の充電式電子ペン。
【発明の詳細な説明】
【技術分野】
【０００１】
この発明は、充電式電子ペンに関する。
【背景技術】
【０００２】
近年、携帯端末における入力手段として電子ペンが使用されることが増えてきている。電子ペンと携帯端末に設けられるセンサとの間で信号の授受を行うことで、携帯端末においては、電子ペンのペン先により指示された位置を検出することができる。電子ペンと携帯端末のセンサとの間での信号の授受の方式には、様々な方式があり、特に電磁誘導方式と静電容量方式とが良く用いられている。【０００３】
静電容量方式の中でも、近年は、アクティブ静電方式と呼ばれる方式が賞用されるようになっている。このアクティブ静電方式の電子ペンは、内部に電源と信号発信回路とを備え、電源により信号発信回路を駆動して、信号をセンサに対して送出するようにする。また、電磁誘導方式の電子ペンにおいても、電子ペン毎の識別情報や筆圧情報を、ブルートゥース（登録商標）規格の無線通信手段により携帯端末に送信するようにするものもあり、電源を必要とするようになっている。【０００４】
この種の電子ペンの電源としては、乾電池を用いるものの他、充電池や大容量のキャパシタ（例えば電気二重層コンデンサなど）の蓄電素子を用いるものがある。近年は利便性を考慮して、充電可能な蓄電素子を用いた充電式電子ペンが賞用されている。【０００５】
この蓄電素子を充電する方式にも種々のものが存在し、電磁誘導方式による充電（無接点充電）、端子の接触による直接充電（接点充電）、専用コネクタによる直接充電（充電用アダプター使用）、汎用のＵＳＢ（Universal Serial Bus）コネクタを用いた充電などがある。電磁誘導方式以外の方式は、コネクタジャックなどの充電用接続端子部材を設けるだけでよいので、比較的簡便に利用されている。【０００６】
充電用接続端子部材は、充電用接点部を備え、充電器との接続用ケーブルのジャックを差し込んで、充電用接点部と電気的に接続させる必要があるので、電子ペンの筐体の開口部から充電用接点部を外部に露出させる必要がある。しかしながら、充電用接続端子部材の充電用接点部が開口部から露出されていると、ゴミなどの異物が入り込むことにより、充電器との接続用ケーブルのジャックが差し込みにくくなることがある。また、充電用接続端子部材の充電用接点部に水滴がついてしまったり、電子ペンを水の中に落としてしまったりした場合には、充電用接続端子部材の正側端子と負側端子との間が電気的にショートして、内部回路が破壊されてしまう等の不具合が生じる恐れがある。【０００７】
そこで、充電用接続端子の開口部に蓋を取り付けて、当該充電用接続端子を使用するときに当該蓋を取り外すようにする方策が取られている。しかしながら、蓋の取り付け、取り外しは面倒であると共に、電子ペンの使用時には邪魔になる場合もある。さらには、蓋が電子ペンとは別体のものの場合には、当該蓋を紛失をしないように考慮しなければならない。【０００８】
そのため、例えば特許文献１（ＵＳ２０１６／０３２０８６８Ａ１号公報）には、充電用接続端子の開口部を、電子ペンの筐体の軸心方向に沿った側面に設けると共に、ペン先側とは反対側に設けられる電子ペンを胸ポケットなどに保持するためのクリップ部材に隣接するリング部材で、開口部を覆うようにするものが提供されている。
【先行技術文献】
【特許文献】
【０００９】
【特許文献１】ＵＳ２０１６／０３２０８６８Ａ１号公報
【発明の概要】
【発明が解決しようとする課題】
【００１０】
しかし、上述の特許文献１の場合のように、リング部材で充電用接続端子の開口部を覆っていても、リング部材と充電用接続端子部材との間には隙間があるため、水滴の侵入などによって充電用接続端子部材において電気的なショートが生じる不具合は避けられない。また、従来、一般的に、充電用接続端子部材の充電用接点部は、蓄電素子と電気的に常に接続されている状態であるために、蓄電素子が自然放電してしまうこともある。【００１１】
この発明は、以上の問題点を解決することができるようにした充電式電子ペンを提供することを目的とする。
【課題を解決するための手段】
【００１２】
上記の課題を解決するために、
筐体と、
前記筐体内に設けられる蓄電素子と、
前記筐体の開口部を介して充電用接点部が外部に露出するように前記筐体内に設けられる充電用接続端子部材と、
前記蓄電素子と前記充電用接続部材との間に設けられるスイッチ部材と、
前記筐体に対して変位することで、前記スイッチ部材を開閉制御する制御部材と、
を備え、
前記制御部材は、前記筐体に対して、前記充電用接続端子部材の前記充電用接点部を、前記開口部を介して外部に露出させる第１の状態と、前記充電用接続端子部材の前記充電用接点部を、外部に露出させない第２の状態とに、変位可能であり、
前記制御部材が前記第１の状態のときには、前記スイッチ部材は、前記蓄電素子と前記充電用接続端子部材の前記充電用接点部とを電気的に接続する状態となり、
前記制御部材が前記第２の状態のときには、前記スイッチ部材は、前記蓄電素子と前記充電用接続端子部材の前記充電用接点部とを電気的に非接続にする状態とする
ことを特徴とする充電式電子ペンを提供する。【００１３】
上述の構成の充電式電子ペンにおいては、制御部材が筐体に対して第２の状態にあるときには、充電用接続端子部材の充電用接点部が、外部に露出しない状態となると共に、スイッチ部材が、蓄電素子と充電用接続端子部材の充電用接点部とを電気的に非接続にする状態となる。【００１４】
したがって、上述の構成の充電式電子ペンによれば、充電用接続端子部材の充電用接点部へのゴミの侵入を防止することができると共に、スイッチ部材により、蓄電素子と充電用接続端子部材の充電用接点部とが電気的に非接続の状態となっているので、水滴の侵入等によって充電用接続端子部材の接続用接点間で電気的なショートが生じても、蓄電素子が充電用接続端子部材と接続されていないので、蓄電素子がショートすることはなく、ショートした場合に流れる恐れがある大電流も発生しないので、内部回路の破壊も防止することができる。また、蓄電素子に蓄電された電圧が、充電用接続端子部材側を介して放電することも防止できる。【００１５】
そして、制御部材が筐体に対して第１の状態にあるときには、充電用接続端子部材の充電用接点部が、開口部を介して外部に露出する状態となると共に、スイッチ部材が、蓄電素子と充電用接続端子部材の充電用接点部とを電気的に接続する閉状態となる。したがって、例えば充電器に接続されているケーブルの端部のジャックを開口部を介して差し込むことにより、充電式電子ペンの蓄電素子の充電が可能となる。
【図面の簡単な説明】
【００１６】
【図１】この発明による充電式電子ペンの実施形態と、当該充電式電子ペンと共に使用される電子機器の例とを示す図である。
【図２】この発明による充電式電子ペンの第１の実施形態の要部の構成例を説明するための図である。
【図３】この発明による充電式電子ペンの第１の実施形態における電気的な構成例を説明するための図である。
【図４】この発明による充電式電子ペンの第２の実施形態の要部の構成例を説明するための図である。
【図５】この発明による充電式電子ペンの第２の実施形態における電気的な構成例を説明するための図である。
【図６】この発明による充電式電子ペンの第３の実施形態の要部の構成例を説明するための図である。
【図７】この発明による充電式電子ペンの第３の実施形態の要部の構成例を説明するための図である。
【図８】この発明による充電式電子ペンの第４の実施形態の要部の構成例を説明するための図である。
【図９】この発明による充電式電子ペンの第５の実施形態の要部の構成例を説明するための図である。
【図１０】この発明による充電式電子ペンの第５の実施形態における電気的な構成例を説明するための図である。
【図１１】この発明による充電式電子ペンの第６の実施形態の要部の構成例を説明するための図である。
【図１２】この発明による充電式電子ペンの第７の実施形態の要部の構成例を説明するための図である。
【図１３】この発明による充電式電子ペンの第８の実施形態の要部の構成例を説明するための図である。
【発明を実施するための形態】
【００１７】
以下、この発明による充電式電子ペンの幾つかの実施形態を、図を参照しながら説明する。
【００１８】
［第１の実施形態］
図１は、この発明の第１の実施形態の充電式電子ペン１と、当該充電式電子ペン１を入力手段として使用する電子機器の例としてのタブレット型情報端末２の一例を示すものである。この実施形態の充電式電子ペン（以下、電子ペンと略称する）１は、タブレット型情報端末２に設けられる位置検出装置のセンサに対して静電結合により信号を送出するアクティブ静電方式の電子ペンである。
【００１９】
この例では、タブレット型情報端末２は、例えばＬＣＤ（Liquid  Crystal  Display）などの表示装置の表示画面２Ｄを備え、表示画面２Ｄの上部（表面側）に、この例では、静電容量方式の位置検出装置のセンサ２Ｓを備えている。
【００２０】
電子ペン１は、筒状の筐体１１の中空部内に、蓄電素子の例としての充電式バッテリー１２と、電子回路１３とが設けられている。電子回路１３は、信号発信回路と、例えばマイクロプロセッサーからなる制御回路とを含み、図１では図示を省略したプリント基板に配設されている。電子回路１３の信号発信回路や制御回路には、充電式バッテリー１２から駆動電圧が供給され、制御回路の制御に基づいて、信号発信回路からの信号が、導電性を有する芯体１４を通じて、静電結合によりセンサ２Ｓに対して送出される。
【００２１】
この第１の実施形態の電子ペン１では、充電式バッテリー１２は、充電用接続端子部材の例としての汎用のＵＳＢコネクタを通じて充電することができるように構成されている。汎用のＵＳＢコネクタを用いる場合には、ＵＳＢコネクタを備えるパーソナルコンピューターから接続ケーブルを介して充電式バッテリー１２を充電できて便利である。
【００２２】
ＵＳＢコネクタには、いろいろの大きさのものがあり、通常の大きさのタイプＡ（ＴｙｐｅＡ）の他、小型のマイクロＢ（ＭｉｃｒｏＢ）やタイプＣ（ＴｙｐｅＣ）などがある。ＵＳＢコネクタの大きさや形状に応じて、ＵＳＢコネクタの機能（接続ピンの数、接続する信号の種類など）が異なる。
【００２３】
従来の充電式電子ペンにおいては、小型であるマイクロＢタイプのＵＳＢコネクタが用いられていた。しかし、近年の電子ペンの多機能化に伴い、ＵＳＢコネクタを通じてやり取りする通信情報や機能が増加し、接続ピン数がマイクロＢタイプよりも多く、若干大きなタイプＣのＵＳＢコネクタの搭載が望まれるようになっている。
【００２４】
この第１の実施形態の電子ペン１においては、このタイプＣのＵＳＢコネクタが、充電式バッテリー１２の充電用接続端子部材として用いられる。そして、この第１の実施形態の電子ペン１においては、充電用接続端子部材としてのＵＳＢコネクタの接続用接点部が形成されている差し込み口が外部に露出する第１の状態と、露出することなく覆われている第２の状態とを取り得るように構成されている。
【００２５】
すなわち、この第１の実施形態の電子ペン１では、筒状の筐体１１の軸心方向の芯体１４側とは反対側（以下、後端側という）に、キャップ部材１５が、筐体１１に対して軸心方向に摺動移動可能の状態で嵌合されるように構成されている。図１に示すように、キャップ部材１５には、この例では、電子ペン１を胸ポケットなどに保持するためのクリップ部材１６が設けられている。
【００２６】
そして、この第１の実施形態の電子ペン１では、前述した特許文献１と同様に、ＵＳＢコネクタの接続用接点部が形成されている差し込み口が筐体１１の軸心方向に沿う側周面の開口部から露出するようにして設けられていると共に、キャップ部材１５が、筐体１１に対して軸心方向に摺動移動をする変位をすることで、ＵＳＢコネクタの差し込み口が外部に露出する第１の状態と、ＵＳＢコネクタの差し込み口が外部に露出することなく覆われている第２の状態とを取り得るように構成されている。この第１の実施形態の電子ペン１では、キャップ部材１５が制御部材を構成する。
【００２７】
使用者は、充電式バッテリー１２を充電しようとするときには、キャップ部材１５をＵＳＢコネクタの差し込み口が筐体１１の開口部から露出する第１の状態として、ＵＳＢケーブルのコネクタジャックを、露出しているＵＳＢコネクタの差し込み口に差し込み可能とするようにする。充電式バッテリー１２を充電しないときには、キャップ部材１５により筐体１１の開口部を覆うことで、ＵＳＢコネクタの差し込み口が外部に露出しない第２の状態とするようにする。
【００２８】
そして、この第１の実施形態の電子ペン１においては、ＵＳＢコネクタの差し込み口が筐体１１の開口部から露出している第１の状態では、ＵＳＢコネクタと充電式バッテリー１２との間を電気的に接続して、充電式バッテリー１２を充電するようにすると共に、ＵＳＢコネクタの差し込み口が筐体１１の開口部から露出していない第２の状態では、ＵＳＢコネクタと充電式バッテリー１２との間の電気的な接続を遮断するスイッチ部材（後述のスイッチ部材１８）を備えている。この構成により、この第１の実施形態の電子ペン１においては、充電式バッテリー１２を充電していないときの電気的なショートによる内部回路の破壊などの不測の事態が生じないようにしている。
【００２９】
図２は、筐体１１と、キャップ部材１５との結合部分の拡大図を示すものである。この図２を参照しながら、上述した電子ペン１における充電式バッテリー１２の充電可能時の第１の状態と、充電不可時の第２の状態を現出するための構成例について説明する。
【００３０】
図２（Ａ）は、この第１の実施形態の電子ペン１における充電不可時の第２の状態を説明すための図である。また、図２（Ｂ）及び（Ｃ）は、この第１の実施形態の電子ペン１における充電可能時の第１の状態を説明するための図である。図２（Ｂ）は、電子ペン１を、図２（Ａ）と同様の方向から見た図であり、図２（Ｃ）は、図２（Ｂ）の状態の電子ペン１を、９０度回転させて、クリップ部材１６が、紙面の反対側に位置するようにした状態を示している。
【００３１】
図２（Ａ）、（Ｂ）及び（Ｃ）に示すように、この第１の実施形態では、電子ペン１の筐体１１の後端側は、外径が他の部分よりも小さい径小部１１Ｓとされている。そして、キャップ部材１５は、この筐体１１の径小部１１Ｓに嵌合する凹穴１５ａを備える構成とされている。
【００３２】
そして、この例では、筐体１１の径小部１１Ｓの中空部内には、プリント基板１３Ｐ上に配設されたＵＳＢコネクタ１７と、スイッチ部材１８とが設けられている。そして、図２（Ｂ）及び（Ｃ）に示すように、筐体１１の径小部１１Ｓには、ＵＳＢコネクタ１７の接続用接点部が外部に臨む差し込み口を、外部に露呈するようにする開口部１１Ｓａが形成されている。この例では、ＵＳＢコネクタ１７がタイプＣであり、若干大きめであるので、ＵＳＢコネクタ１７は、プリント基板１３Ｐ上に横に載置されており、開口部１１Ｓａは、これに対応して、長手方向が筐体１１の径小部１１Ｓの軸心方向に沿う方向となるように形成されている。そして、ＵＳＢコネクタ１７の接続用接点部が形成されている差し込み口が、開口部１１Ｓａを介して外部に露出するように構成されている。
【００３３】
また、この例では、スイッチ部材１８は、通常状態では、その筐体から突出する状態となり、押圧されることにより筐体内に収納されるように弾性的に変位する突起１８ａを備えている。この例では、スイッチ部材１８は、突起１８ａが突出する状態では、閉状態（スイッチオン状態）となり、突起１８ａが押圧されることにより筐体内に収納される状態では、開状態（スイッチオフ状態）となるものである。
【００３４】
図２（Ｂ）及び図２（Ｃ）に示すように、筐体１１の径小部１１Ｓには、プリント基板１３Ｐ上に配設されているスイッチ部材１８の突起１８ａに対応する位置に開口部１１Ｓｂが形成されている。そして、スイッチ部材１８は、この径小部１１Ｓの開口部１１Ｓｂから、突起１８ａが、径小部１１Ｓの外周面よりも外側に突出するように、プリント基板１３Ｐに配設されている。
【００３５】
そして、この例では、筐体１１の径小部１１Ｓとキャップ部材１５とが、第１の状態と第２の状態とで、軸心方向において係止するようにするために、筐体１１の径小部１１Ｓの先端側には、リング状に膨出された突部１１Ｓｃが形成されていると共に、キャップ部材１５の凹穴１５ａ内には、リング状の凹溝１５ｂ及び１５ｃが形成されている。
【００３６】
次に、この第１の実施形態の電子ペン１の内部の電気的な構成について、図３を参照しながら説明する。図３（Ａ）及び（Ｂ）に示すように、この第１の実施形態の電子ペン１は、筐体１１内に、充電式バッテリー１２と、ＵＳＢコネクタ１７と、スイッチ部材１８と、制御回路１３１と、信号発信回路１３２とを備える。
【００３７】
ＵＳＢコネクタ１７は、充電用の負側端子は接地され、正側端子は、スイッチ部材１８を通じて充電式バッテリー１２に接続されている。そして、充電式バッテリー１２に蓄積された電圧が制御回路１３１及び信号発信回路１３２に対して、その駆動電圧として供給されている。
【００３８】
信号発信回路１３２は、導電性を有する芯体１４に接続されている。制御回路１３１は、例えばマイクロプロセッサーで構成されており、信号発信回路１３２から出力信号内容を制御すると共に、信号出力タイミング等を制御するようにする。
【００３９】
この例では、ＵＳＢコネクタ１７は、信号の送受信用端子を備えており、その信号の送受信用端子は、制御回路１３１に接続されている。これにより、ＵＳＢコネクタ１７を通じて外部からの信号が制御回路１３１に供給され、また、制御回路１３１からの信号がＵＳＢコネクタ１７を通じて外部に送信されるように構成されている。なお、図３では、信号の送受信用端子は、１個のように記載されているが、複数個であることは言うまでもない。
【００４０】
以上のように構成されているので、第１の実施形態の電子ペン１において、キャップ部材１５を、筐体１１の径小部１１Ｓに嵌合させて押し込むようにすると、径小部１１Ｓのリング状の突部１１Ｓｃが、キャップ部材１５の凹穴１５ａのリング状の凹溝１５ｂに嵌合して、キャップ部材１５は、筐体１１に対して係止する状態になる。
【００４１】
この状態では、キャップ部材１５により、筐体１１の径小部１１Ｓの開口部１１Ｓａは覆われてＵＳＢコネクタ１７の差し込み口は、外部に露出しない状態になる。また、キャップ部材１５により、スイッチ部材１８の突起１８ａは、その筐体内に押し込まれる状態となり、スイッチ部材１８は、図３（Ａ）に示すように、開状態（スイッチオフ状態）となる。すなわち、図２（Ａ）の状態では、電子ペン１は、第２の状態である。
【００４２】
この第２の状態では、図３（Ａ）に示すように、ＵＳＢコネクタ１７と充電式バッテリー１２との間の電気的接続はスイッチ部材１８により遮断される。このため、キャップ部材１５と筐体１１の径小部１１Ｓとの間の隙間を通じて水分がＵＳＢコネクタ１７の差し込み口に侵入して、ＵＳＢコネクタ１７の接続用接点間がショートしても、充電式バッテリー１２からの電流が、ＵＳＢコネクタ１７を通じて流れることはないので、内部回路の破壊などの不測の事態が生じないようにすることができる。また、充電式バッテリー１２に蓄電された電圧が、ＵＳＢコネクタ１７側を介して放電することも防止できる。
【００４３】
次に、図２（Ａ）に示す第２の状態から、キャップ部材１５を軸心方向に芯体１４のペン先側とは反対側に摺動移動させると、径小部１１Ｓのリング状の突部１１Ｓｃが、キャップ部材１５の凹穴１５ａのリング状の凹溝１５ｃに嵌合して、キャップ部材１５は、筐体１１に対して係止する状態になる。
【００４４】
この状態では、図２（Ｂ）及び（Ｃ）に示すように、筐体１１の径小部１１Ｓの開口部１１Ｓａはキャップ部材１５により覆われることなく露出した状態となる。このため、図３（Ｃ）に示すように、開口部１１Ｓａを介してＵＳＢコネクタ１７の接続用接点が形成されている差し込み口が外部に露出する状態になる。また、キャップ部材１５によるスイッチ部材１８の突起１８ａの押圧は無くなるので、図２（Ｂ）に示すように、突起１８ａが外部に突出する状態となり、スイッチ部材１８は、図３（Ｂ）に示すように、閉状態（スイッチオン状態）となる。すなわち、図２（Ｂ）及び（Ｃ）の状態では、電子ペン１は、第１の状態である。
【００４５】
この第１の状態では、図３（Ｂ）に示すように、ＵＳＢコネクタ１７と充電式バッテリー１２との間はスイッチ部材１８を通じて電気的に接続される。このため、ＵＳＢコネクタ１７の差し込み口に、ＵＳＢケーブルの端部のコネクタジャックが差し込まれると、当該ＵＳＢコネクタ１７を通じて充電式バッテリー１２に充電電流が流れて、充電式バッテリー１２の充電が実行される。
【００４６】
なお、以上の説明では、キャップ部材１５を軸心方向に摺動移動させることにより、第１の状態と第２の状態とを現出するようにしたが、キャップ部材１５には、クリップ部材１６が設けられているので、キャップ部材１５と筐体１１の径小部１１Ｓとの側周面方向の嵌合位置によっては、クリップ部材１６により開口部１１Ｓａの上方が覆われる状態になり、ＵＳＢケーブルのコネクタジャックをＵＳＢコネクタ１７の差し込み口に差し込むことができなくなる恐れがある。しかし、第１の実施形態の電子ペン１においては、そのような場合には、キャップ部材１５を、筐体１１の径小部１１Ｓに対して回転することで、クリップ部材１６の位置が、開口部１１Ｓａの上空とならないようにすることができる。この場合には、制御部材としてのキャップ部材１５は、筐体１１に対して、軸心方向の摺動移動と、軸心方向を回転中心とした回転移動とからなる変位をすることになる。
【００４７】
なお、筐体１１の径小部１１Ｓの周側面の特定位置に軸心方向に沿う突条あるいは凹溝を形成しておくと共に、キャップ部材１５の凹穴１５ａ内における内周面の特定位置に、径小部１１Ｓの突条あるいは凹溝に対応する凹溝あるいは突条を形成しておくようにして、クリップ部材１６の位置が筐体１１の径小部１１Ｓの開口部１１Ｓａと重ならないようにした状態で、キャップ部材１５が筐体１１の径小部１１Ｓに対して回転することができないようにしてもよい。
【００４８】
なお、上述の第１の実施形態の電子ペン１において、クリップ部材１６は設けないようにしてもよい。また、キャップ部材１５は、第２の状態では、筐体１１の径小部１１Ｓに係止させずに、筐体１１の径小部１１Ｓから取り外してしまうようにしてもよい。
【００４９】
［第２の実施形態］
上述した第１の実施形態では、制御部材をキャップ部材により構成するようにした。これに対して、以下に説明する第２の実施形態の電子ペン１Ａにおいては、制御部材をクリップ部材１６Ａにより構成するようにする。以下の第２の実施形態の説明において、第１の実施形態の電子ペン１と同様の構成部分には、同一の参照符号を付して、その詳細な説明は省略する。
【００５０】
図４は、この第２の実施形態の電子ペン１Ａの要部の構成例を説明するための図である。図４（Ａ）及び（Ｂ）は、この第２の実施形態の電子ペン１Ａの後端側の構成を示す図であり、図４（Ａ）は、制御部材であるクリップ部材１６Ａによる第２の状態を示す図、図４（Ｂ）は、制御部材であるクリップ部材１６Ａによる第１の状態を示す図である。また、図４（Ｃ）は、この第２の実施形態の電子ペン１Ａを、その後端側から軸心方向に見た図である。
【００５１】
この第２の実施形態の電子ペン１Ａのクリップ部材１６Ａは、図４（Ａ）、（Ｂ）及び（Ｃ）に示すように、弾性的に変位可能であって、電子ペン１Ａの軸心方向を長手方向とする板状のクリップ片１６Ａｐを有すると共に、このクリップ片１６Ａｐの後端側のほぼ半分の長さの部分の幅方向の両側から、当該クリップ片１６Ａｐの板状平面に直交する方向であって、電子ペン１Ａの筐体１１Ａ側に伸びる２個の壁部１６Ａａ及び１６Ａｂを備える。
【００５２】
そして、この第２の実施形態の電子ペン１Ａにおいては、筐体１１Ａは、第１の実施形態の電子ペン１の筐体１１のような径小部１１Ｓは有しない。その代わりに、第２の実施形態の電子ペン１Ａの筒状の筐体１１Ａの後端側の側周面には、図４（Ａ）、（Ｂ）及び（Ｃ）に示すように、クリップ部材１６Ａの２個の壁部１６Ａａ及び１６Ａｂの先端縁が嵌合されるスライド用溝１１Ａａ及び１１Ａｂ（特に、図４（Ｃ）参照）が設けられる。スライド用溝１１Ａａ及び１１Ａｂは、図４（Ａ）及び（Ｂ）に示すように、筐体１１Ａの軸心方向に沿って形成され、クリップ部材１６Ａは、このスライド用溝１１Ａａ及び１１Ａｂに沿って、軸心方向に摺動移動可能となる。
【００５３】
この第２の実施形態の電子ペン１Ａでは、クリップ部材１６Ａの２個の壁部１６Ａａ及び１６Ａｂと、クリップ片１６Ａｐとで形成される空間により、ＵＳＢコネクタ１７の接続用接点部及び筐体１１Ａの開口部１１Ａｃを覆うことができるように構成している。すなわち、この例では、クリップ部材１６Ａの壁部１６Ａａ及び１６Ａｂの軸心方向の長さは、ＵＳＢコネクタ１７の接続用接点部が形成されている差し込み口の長手方向の長さよりも長く選定されている。
【００５４】
そして、図４（Ｃ）に示すように、筐体１１Ａの後端側の側周面の２個のスライド用溝１１Ａａ及び１１Ａｂの間には、ＵＳＢコネクタ１７の差し込み口を外部に露出させるための開口部１１Ａｃが設けられてる。この開口部１１Ａｃは、筐体１１Ａの側周面において、その長手方向が筐体１１Ａの軸心方向となるように形成されている。この開口部１１Ａｃの形成位置は、図４（Ａ）に示すように、クリップ部材１６Ａが筐体１１Ａの最も後端側に位置する第２の状態のときには、当該クリップ部材１６Ａの２個の壁部１６Ａａ及び１６Ａｂと、クリップ片１６Ａｐとで形成される空間で覆われ、図４（Ｂ）に示すように、クリップ部材１６Ａが筐体１１Ａの軸心方向にペン先側に移動した第１の状態のときには、この開口部１１Ａｃを通じてＵＳＢコネクタ１７の差し込み口が外部に露出する状態となる位置とされている。
【００５５】
そして、この第２の実施形態の電子ペン１Ａにおいては、ＵＳＢコネクタ１７は、図示を省略したプリント基板に載置されて取り付けられるが、図４（Ａ）〜（Ｃ）に示すように、その差し込み口が、開口部１１Ａｃを通じて若干、外部に突出する状態となるように取り付けられる。
【００５６】
そして、この第２の実施形態の電子ペン１Ａにおいては、スイッチ部材１８は、図４（Ａ）〜（Ｃ）に示すように、クリップ部材１６Ａの２個の壁部１６Ａａ及び１６Ａｂの一方、図４（Ｃ）の例では壁部１６Ａａが、軸心方向に摺動移動する経路において、筐体１１Ａに形成されている開口（図示は省略）を介して、突起１８ａが突出するような状態で、プリント基板に対して配設されている。
【００５７】
この場合に、図４（Ａ）に示すように、クリップ部材１６Ａが筐体１１Ａの最も後端側に位置する第２の状態のときには、クリップ部材１６Ａの壁部１６Ａａにより、スイッチ部材１８の突起１８ａは、その筐体内に押し込まれて、スイッチ部材１８が開状態（スイッチオフ状態）となっている。
【００５８】
そして、図４（Ｂ）に示すように、クリップ部材１６Ａが筐体１１Ａの軸心方向にペン先側に移動した第１の状態のときには、クリップ部材１６Ａの２個の壁部１６Ａａ及び１６Ａｂと、クリップ片１６Ａｐとで形成される空間で覆われていた、筐体１１Ａの開口部１１Ａｃを通じて突出しているＵＳＢコネクタ１７の差し込み口が外部に露出する状態となると共に、クリップ部材１６Ａの壁部１６Ａａによる押下が解除されて、スイッチ部材１８の突起１８ａが筐体１１Ａの開口から突出する状態となるように構成されている。スイッチ部材１８は、この図４（Ｂ）の第１の状態では、閉状態（スイッチオン状態）となる。
【００５９】
なお、筐体１１Ａのスライド用溝１１Ａａ及び１１Ａｂの軸心方向の長さは、図４（Ａ）に示す第２の状態から、図４（Ｂ）に示す第１の状態になることができるような長さに選定されているものである。
【００６０】
この第２の実施形態の電子ペン１Ａの内部の電気的な構成は、図５に示すようなものとなっており、前述した第１の実施形態の電子ペン１と同様とされている。ただし、この第２の実施形態では、制御部材がクリップ部材１６Ａであって、その軸心方向の摺動移動により、第１の状態と第２の状態とに使用者により切り替え操作制御される。
【００６１】
すなわち、第２の実施形態の電子ペン１Ａにおいて、クリップ部材１６Ａが筐体１１Ａの最も後端側に存在する第２の状態のときには、図４（Ａ）及び図５（Ａ）に示すように、クリップ部材１６Ａの２個の壁部１６Ａａ及び１６Ａｂと、クリップ片１６Ａｐとで形成される空間で覆われて、ＵＳＢコネクタ１７の差し込み口は外部に露出しないようにされると共に、スイッチ部材１８の突起１８ａがクリップ部材１６Ａの壁部１６Ａａにより押下されてスイッチ部材１８は開状態（スイッチオフ状態）となる。
【００６２】
したがって、図５（Ａ）に示すように、ＵＳＢコネクタ１７と充電式バッテリー１２との間の電気的接続はスイッチ部材１８により遮断される。このため、クリップ部材１６ＡとＵＳＢコネクタ１７との間の隙間を通じて水分がＵＳＢコネクタ１７の差し込み口に侵入して、ＵＳＢコネクタ１７の接続用接点間がショートしても、充電式バッテリー１２からの電流が、ＵＳＢコネクタ１７を通じて流れることはないので、内部回路の破壊などの不測の事態が生じないようにすることができる。
【００６３】
そして、使用者によりクリップ部材１６Ａが筐体１１Ａの軸心方向にスライドさせられて、図４（Ｂ）に示した第１の状態にされたときには、図５（Ｂ）に示すように、ＵＳＢコネクタ１７の差し込み口が外部に露出すると共に、スイッチ部材１８は、クリップ部材１６Ａの壁部１６Ａａによる突起１８ａの押下が解除されて、閉状態（スイッチオン状態）となる。
【００６４】
したがって、図５（Ｂ）に示すように、ＵＳＢコネクタ１７と充電式バッテリー１２との間はスイッチ部材１８を通じて電気的に接続される。このため、ＵＳＢコネクタ１７の差し込み口に、ＵＳＢケーブルの端部のコネクタジャックが差し込まれると、当該ＵＳＢコネクタ１７を通じて充電式バッテリー１２に充電電流が流れて、充電式バッテリー１２の充電が実行される。
【００６５】
なお、以上の説明では、スイッチ部材１８の突起１８ａは、クリップ部材１６Ａの壁部１６Ａａ及び１６Ａｂの一方で押下するように構成したが、図４（Ａ）の第１の状態において、スイッチ部材１８の突起１８ａを押下する位置の２個の壁部１６Ａａ及び１６Ａｂの先端部分を板状体で橋絡させるように構成して、その板状体によって、スイッチ部材１８の突起１８ａを押下するように構成してもよい。この場合には、ＵＳＢコネクタ１７とスイッチ部材１８とは、軸心方向の位置を異ならせるだけで、プリント基板上に配設することができる。
【００６６】
なお、クリップ部材１６Ａの壁部１６Ａａ及び１６Ａｂは、クリップ片１６Ａｐの長手方向の一部に形成したが、クリップ片１６Ａｐの長手方向の全体に亘って形成してもよい。
【００６７】
［第３の実施形態］
上述の第１の実施形態の電子ペン１及び第２の実施形態の電子ペン１Ａにおいては、制御部材としてのキャップ部材１５やクリップ部材１６Ａは、電子ペンの筐体の軸心方向に摺動移動することで、第１の状態と第２の状態とを現出させるように切り替え制御するようにした。しかしながら、制御部材を、電子ペンの筐体の軸心方向の中心線を中心とした回転方向に変位させることで、第１の状態と第２の状態とを現出させるように切り替え制御するようにこともできる。以下に説明する第３の実施形態は、制御部材を回転方向に変位させることで、第１の状態と第２の状態とを現出させるように切り替え制御するようにした電子ペンの例である。
【００６８】
図６及び図７は、この第３の実施形態の電子ペン１Ｂの要部を説明するための図である。図６は、この第３の実施形態の電子ペン１Ｂの後端側の斜視図であり、後述するように第１の状態の図である。また、図７（Ａ）は、この第３の実施形態の電子ペン１Ｂの後端側の側面図であって、第２の状態の図である。そして、図７（Ｂ）は、図７（Ａ）におけるＡ−Ａ線断面図である。この第３の実施形態の電子ペン１Ｂにおいても、第１の実施形態の電子ペン１と同様の部分には、同一参照符号を付してその説明は省略する。
【００６９】
この第３の実施形態の電子ペン１Ｂの筐体１１Ｂは、第１の実施形態の電子ペン１の筐体１１と同様に、軸心方向の後端側に径小部１１ＢＳを備える（図７（Ａ）及び（Ｂ）参照）。そして、この第３の実施形態の電子ペン１Ｂにおいては、図６、図７（Ａ）及び（Ｂ）に示すように、この筐体１１Ｂの径小部１１ＢＳと嵌合する部材として、キャップ部材１５Ｂと、リング部材１９とが設けられる。
【００７０】
すなわち、この第３の実施形態の電子ペン１Ｂにおいては、筐体１１Ｂの径小部１１ＢＳには、先ず、リング部材１９が、径小部１１ＢＳに対して回転可能の状態で嵌合される。そして、筐体１１Ｂの径小部１１ＢＳは、リング部材１９が嵌合された後にも、後端側にさらに突出する状態となっており、その突出部分に対して、キャップ部材１５Ｂが、この例では径小部１１ＢＳに対して回転不能の状態で嵌合される。
【００７１】
筐体１１Ｂの径小部１１ＢＳの中空部内には、第１の実施形態の電子ペン１と同様に、プリント基板１３Ｐに配設されたＵＳＢコネクタ１７とスイッチ部材１８とが配設されている。そして、図６、図７（Ａ）及び（Ｂ）に示すように、この第３の実施形態の電子ペン１Ｂにおいては、上述の第１の実施形態の電子ペン１と同様に、筐体１１Ｂの径小部１１ＢＳの側周面には、ＵＳＢコネクタ１７の差し込み口を外部に露出するようにするための開口部１１ＢＳａが、軸心方向を長手方向として形成されていると共に、スイッチ部材１８の突起１８ａを外部に露出させるための開口部１１ＢＳｂが形成されている。
【００７２】
なお、この例では、キャップ部材１５Ｂには、クリップ部材１６Ｂが固定されて取り付けられているが、このクリップ部材１６Ｂが、筐体１１Ｂの径小部１１ＢＳに形成されている開口部１１ＢＳａの上方を覆わず、ＵＳＢコネクタ１７の差し込み口へのＵＳＢケーブルのコネクタジャックの差し込みに支障が生じない回転方向位置において、キャップ部材１５Ｂは、筐体１１Ｂの径小部１１ＢＳに対して固定されるように構成されている。この例では、筐体１１Ｂの径小部１１ＢＳの開口部１１ＢＳａの位置と、キャップ部材１５Ｂに固定されているクリップ部材１６Ｂとは、回転方向に９０度異なる位置となるようにされている。
【００７３】
そして、この第３の実施形態の電子ペン１Ｂにおいては、リング部材１９には、筐体１１Ｂの径小部１１ＢＳの開口部１１ＢＳａと重なるような開口部１９ａが形成されている。また、リング部材１９の内壁面には、スイッチ部材１８の突起１８ａを押下することが可能な突部１９ｂが形成されている。
【００７４】
前述したように、この第３の実施形態の電子ペン１Ｂにおいては、リング部材１９が制御部材を構成するものであって、当該リング部材１９が、筐体１１Ｂの径小部１１ＢＳに対して回転する変位をすることで、図６に示す第２の状態を現出すると共に、図７（Ａ）及び（Ｂ）に示す第１の状態を現出するように構成される。リング部材１９の開口部１９ａと突部１９ｂとは、リング部材１９の回転により、第１の状態と第２の状態を現出することができるような位置関係で設けられている。この例では、リング部材１９の開口部１９ａと突部１９ｂとは、回転方向に９０度異なる位置となるようにされている。
【００７５】
すなわち、この第３の実施形態の電子ペン１Ｂにおいては、図６に示すように、リング部材１９の開口部１９ａがクリップ部材１６Ｂの真下に位置して、当該開口部１９ａがクリップ部材１６Ｂで隠される状態が第２の状態とされる。この第２の状態においては、筐体１１Ｂの径小部１１ＢＳの開口部１１ＢＳａは、リング部材１９の開口部１９ａとは回転方向に９０度異なる位置に在るので、筐体１１Ｂの径小部１１ＢＳの開口部１１ＢＳａは、リング部材１９により覆われて、ＵＳＢコネクタ１７の差し込み口は、外部に露出しない状態となる。このとき、図６に示すように、リング部材１９の突部１９ｂがスイッチ部材１８の突起１８ａを押下する状態となっており、スイッチ部材１８は、開状態（スイッチオフ状態）とされている。
【００７６】
したがって、図３（Ａ）に示したように、ＵＳＢコネクタ１７と充電式バッテリー１２との間の電気的接続はスイッチ部材１８により遮断され、リング部材１９と筐体１１Ｂの径小部１１ＢＳとの間の隙間を通じて水分がＵＳＢコネクタ１７の差し込み口に侵入して、ＵＳＢコネクタ１７の接続用接点間がショートしても、充電式バッテリー１２からの電流が、ＵＳＢコネクタ１７を通じて流れることはないので、内部回路の破壊などの不測の事態が生じないようにすることができる。
【００７７】
図６の状態から、リング部材１９を９０度回転させて、図７（Ａ）に示すように、リング部材１９の開口部１９ａと、筐体１１Ｂの径小部１１ＢＳの開口部１１ＢＳａとが重なるような状態とすると、第１の状態となる。すなわち、図７（Ａ）に示すように、ＵＳＢコネクタ１７の差し込み口が、径小部１１ＢＳの開口部１１ＢＳａ及びリング部材１９の開口部１９ａを通じて外部に露出する状態となる。そして、このとき、リング部材１９の突部１９ｂは、径小部１１ＢＳの開口部１１ＢＳｂ内を９０度、回転移動して、図７（Ｂ）に示すような状態となり、スイッチ部材１８は、突部１９ｂによる押下が無くなった突起１８ａが突出する状態となって、閉状態（スイッチオン状態）となる。
【００７８】
したがって、図３（Ｂ）に示したように、ＵＳＢコネクタ１７と充電式バッテリー１２との間はスイッチ部材１８を通じて電気的に接続され、ＵＳＢコネクタ１７の差し込み口に、ＵＳＢケーブルの端部のコネクタジャックが差し込まれると、当該ＵＳＢコネクタ１７を通じて充電式バッテリー１２に充電電流が流れて、充電式バッテリー１２の充電が実行される。
【００７９】
［第４の実施形態］
第４の実施形態も、第３の実施形態と同様に、制御部材を回転させることにより、電子ペンにおいて、上述の第１の状態と第２の状態とを現出させるようにする例である。
【００８０】
図８は、この第４の実施形態の電子ペン１Ｃの要部を説明するための図である。図８（Ａ）は、この第４の実施形態の電子ペン１Ｃの第２の状態における図であり、図８（Ｂ）は、この第４の実施形態の電子ペン１Ｃの第１の状態における図である。この第４の実施形態の電子ペン１Ｃにおいても、第１の実施形態の電子ペン１と同様の部分には、同一参照符号を付してその説明は省略する。
【００８１】
この第４の実施形態の電子ペン１Ｃにおいては、第３の実施形態のリング部材１９は存在せず、その代わりに、キャップ部材１５Ｃが、制御部材として回転するように構成している。
【００８２】
すなわち、この第４の実施形態の電子ペン１Ｃの筐体１１Ｃは、第１の実施形態の電子ペン１及び第３の実施形態の電子ペン１Ｂの筐体と同様に、軸心方向の後端側に径小部１１ＣＳを備える。そして、この第４の実施形態の電子ペン１Ｃにおいては、図８（Ａ）及び（Ｂ）に示すように、この筐体１１Ｃの径小部１１ＣＳと嵌合する部材として、キャップ部材１５Ｃが設けられる。この場合に、キャップ部材１５Ｃは、電子ペン１Ｃの筐体１１Ｃの径小部１１ＣＳに対して回転可能の状態で嵌合される。
【００８３】
筐体１１Ｃの径小部１１ＣＳの中空部内には、第１の実施形態の電子ペン１と同様に、プリント基板１３Ｐに配設されたＵＳＢコネクタ１７とスイッチ部材１８とが配設されている。そして、図８（Ａ）及び（Ｂ）に示すように、この第４の実施形態の電子ペン１Ｃにおいては、上述の第１の実施形態の電子ペン１と同様に、筐体１１Ｃの径小部１１ＣＳの周側面には、ＵＳＢコネクタ１７の差し込み口を外部に露出するようにするための開口部１１ＣＳａが形成されている。
【００８４】
そして、この第４の実施形態の電子ペン１Ｃにおいては、キャップ部材１５Ｃには、筐体１１Ｃの径小部１１ＣＳの開口部１１ＣＳａと重なるような開口部１５Ｃａが形成されている。また、キャップ部材１５Ｃの内壁面には、スイッチ部材１８の突起１８ａを押下することが可能な突部１５Ｃｂが形成されている。
【００８５】
なお、この例では、キャップ部材１５Ｃには、クリップ部材１６Ｃが固定されて取り付けられているが、このクリップ部材１６Ｃが、開口部１５Ｃａの上方を覆わず、ＵＳＢコネクタ１７の差し込み口へのＵＳＢケーブルのコネクタジャックの差し込みに支障が生じないようにするために、開口部１５Ｃａは、クリップ部材１６Ｃとは異なる回転角位置に形成されている。この例では、キャップ部材１５Ｃの開口部１５Ｃａの位置と、キャップ部材１５Ｃに固定されているクリップ部材１６Ｃとは、回転方向に９０度異なる位置となるようにされている。
【００８６】
また、この例では、ＵＳＢコネクタ１７の差し込み口が向いている方向と、スイッチ部材１８の突起１８ａが突出する方向とは逆方向（互いに１８０度異なる）とされている。このためキャップ部材１５Ｃの開口部１５Ｃａの位置と、突部１５Ｃｂの位置とは回転方向に９０度異なる位置とされている。
【００８７】
この第４の実施形態の電子ペン１Ｃにおいては、図８（Ａ）に示すように、キャップ部材１５Ｃの開口部１５Ｃａが、筐体１１Ｃの径小部１１ＣＳの開口部１１ＣＳａに対して９０度異なる回転角位置に在る状態が第２の状態とされる。この第２の状態においては、筐体１１Ｃの径小部１１ＣＳの開口部１１ＣＳａは、キャップ部材１５Ｃの開口部１５Ｃａとは回転方向に９０度異なる位置に在るので、筐体１１Ｃの径小部１１ＣＳの開口部１１ＣＳａは、キャップ部材１５Ｃにより覆われて、ＵＳＢコネクタ１７の差し込み口は、外部に露出しない状態となる。このとき、図８（Ａ）に示すように、キャップ部材１５Ｃの突部１５Ｃｂがスイッチ部材１８の突起１８ａを押下する状態となっており、スイッチ部材１８は、開状態（スイッチオフ状態）とされている。
【００８８】
したがって、図３（Ａ）に示したように、ＵＳＢコネクタ１７と充電式バッテリー１２との間の電気的接続はスイッチ部材１８により遮断され、キャップ部材１５Ｃと筐体１１Ｃの径小部１１ＣＳとの間の隙間を通じて水分がＵＳＢコネクタ１７の差し込み口に侵入して、ＵＳＢコネクタ１７の接続用接点間がショートしても、充電式バッテリー１２からの電流が、ＵＳＢコネクタ１７を通じて流れることはないので、内部回路の破壊などの不測の事態が生じないようにすることができる。
【００８９】
図８（Ａ）の状態から、キャップ部材１５Ｃを９０度回転させて、図８（Ｂ）に示すように、キャップ部材１５Ｃの開口部１５Ｃａと、筐体１１Ｃの径小部１１ＣＳの開口部１１ＣＳａとが重なるような状態とすると、第１の状態となる。すなわち、ＵＳＢコネクタ１７の差し込み口が、径小部１１ＣＳの開口部１１ＣＳａ及びキャップ部材１５Ｃの開口部１５Ｃａを通じて外部に露出する状態となる。そして、このとき、キャップ部材１５Ｃの突部１５Ｃｂは、径小部１１ＣＳの開口部１１ＣＳｂ内を９０度、回転移動して図８（Ｂ）に示すように、スイッチ部材１８の突部１９ｂを押下しなくなる状態となるので、スイッチ部材１８は、閉状態（スイッチオン状態）となる。
【００９０】
したがって、図３（Ｂ）に示したように、ＵＳＢコネクタ１７と充電式バッテリー１２との間はスイッチ部材１８を通じて電気的に接続され、ＵＳＢコネクタ１７の差し込み口に、ＵＳＢケーブルの端部のコネクタジャックが差し込まれると、当該ＵＳＢコネクタ１７を通じて充電式バッテリー１２に充電電流が流れて、充電式バッテリー１２の充電が実行される。
【００９１】
なお、上述の第４の実施形態の電子ペン１Ｃでは、第１の状態となる回転角位置と、第２の状態となる回転角位置を規定する手段については説明しなかったが、筐体１１Ｃの径小部１１ＣＳの外表面と、キャップ部材１５Ｃの内壁面とに、それぞれ第１の状態となる回転角位置で嵌合する突起及び凹部を設けると共に、それぞれ第１の状態となる回転角位置で嵌合する突起及び凹部を設けることで、それぞれの状態を、いわゆるクリック感を持って係止させることができる。
【００９２】
また、上述の第４の実施形態では、電子ペン１Ｃの第１の状態では、制御部材としてのキャップ部材１５Ｃの開口部１５Ｃａと、筐体１１Ｃの径小部１１ＣＳの開口部１１ＣＳａとは回転方向に９０度異なるようにしたが、９０度であることは必須ではなく、開口部１５Ｃａと突部１５Ｃｂの離間角度などを考慮した角度位置であれば何度でもよい。
【００９３】
また、上述の第４の実施形態では、制御部材としてのキャップ部材１５Ｃにより、第１の状態と第２の状態とに切り替える回転角は９０度としたが、９０度に限られる訳ではないことは言うまでもない。
【００９４】
［第５の実施形態］
図９は、第５の実施形態の電子ペン１Ｄの要部を説明するための図であり、この第５の実施形態の電子ペン１Ｄの後端側の側面図であって、第１の状態の図である。この第５の実施形態の電子ペン１Ｄにおける制御部材は、第３の実施形態の電子ペン１Ｃと同様のリング部材１９Ｄであるが、第５の実施形態では、リング部材１９Ｄは、回転するのではなく、摺動移動する変位をすることで、第１の状態と第２の状態とを現出するようにする。
【００９５】
また、この第５の実施形態では、制御部材により直接的に開閉制御されるスイッチ部材は用いるのではなく、スイッチ部材としては、半導体スイッチを用いる。そして、制御部材が、第１の状態と第２の状態とで変位することを検出する検出手段を設け、その検出手段の検出結果により、半導体スイッチを制御するように構成する。検出手段としては、以下に説明する例では、外光を受光するか、受光しないかにより、第１の状態と第２の状態とを区別して検出する受光センサを用いる。
【００９６】
この第５の実施形態の電子ペン１Ｄの筐体１１Ｄは、第１の実施形態の電子ペン１の筐体１１と同様に、軸心方向の後端側に径小部１１ＤＳを備える。そして、この第５の実施形態の電子ペン１Ｄにおいては、第３の実施形態の電子ペン１Ｂと同様に、この筐体１１Ｄの径小部１１ＤＳと嵌合する部材として、キャップ部材１５Ｄと、リング部材１９Ｄとが設けられる。
【００９７】
ただし、この第５の実施形態の電子ペン１Ｄにおいては、リング部材１９Ｄの軸心方向の長さは、筐体１１Ｄの径小部１１ＤＳにキャップ部材１５Ｄのみが嵌合されたときに、外部に露出する径小部１１ＤＳの軸心方向の長さの、この例では１／２の長さとされている。
【００９８】
そして、この第５の実施形態の電子ペン１Ｄにおいては、筐体１１Ｄの径小部１１ＤＳ内には、ＵＳＢコネクタ１７が、図示を省略したプリント基板に配設されて設けられると共に、当該径小部１１ＤＳには、ＵＳＢコネクタ１７の差し込み口を外部に露出するための開口部１１ＤＳａが形成されている。
【００９９】
また、この第５の実施形態の電子ペン１Ｄの筐体１１Ｄの径小部１１ＤＳ内には、検出手段としての受光センサ２０が設けられ、径小部１１ＤＳには、外光を受光するための集光レンズを備える受光窓２０ａが形成されている。そして、径小部１１ＤＳの軸心方向の長さは、第１の状態では、図９に示すように、開口部１１ＤＳａを介してＵＳＢコネクタ１７の差し込み口が露出すると共に、受光センサ２０の受光窓２０ａが外部に露出する状態となり、リング部材１９Ｄが摺動移動することで、第２の状態になった時には、リング部材１９Ｄにより、開口部１１ＤＳａ及び受光窓２０ａを共に覆うことができるような長さとされている。
【０１００】
そして、この例では、筐体１１Ｄの径小部１１ＤＳに対して、リング部材１９Ｄが、第１の状態と第２の状態とで、軸心方向において係止するようにするために、筐体１１Ｄの径小部１１ＤＳには、リング状に膨出された突部１１ＤＳｂ及び突部１１ＤＳｃが形成されていると共に、リング部材１９Ｄの内壁には、リング状の凹溝１９Ｄａ及び凹溝１９Ｄｂが形成されている。
【０１０１】
この第５の実施形態の電子ペン１Ｄの内部の電気的な構成の要部を、図１０に示す。すなわち、図１０に示すように、この第５の実施形態では、ＵＳＢコネクタ１７の充電用の正側端子は、例えばトランジスタやＦＥＴからなるスイッチ回路１８Ｄを介してバッテリー１２に接続される。そして、この例では、受光センサ２０の検出出力により、スイッチ回路１８Ｄが制御される。第５の実施形態の電子ペン１Ｄの内部の電気的な構成のその他の部分は、図３に示した構成と同様であるので、ここでは省略する。
【０１０２】
以上のように構成されているので、第５の実施形態の電子ペン１Ｄは、図９において、リング部材１９Ｄをキャップ部材１５Ｄ側に摺動移動させて、リング部材１９Ｄの凹溝１９Ｄａに、筐体１１Ｄの径小部１１ＤＳのリング状の突部１１ＤＳｂが嵌合する状態とすると第２の状態になる。
【０１０３】
この第２の状態では、リング部材１９Ｄにより、筐体１１Ｄの径小部１１ＤＳの開口部１１ＤＳａは覆われてＵＳＢコネクタ１７の差し込み口は、外部に露出しない状態になる。また、リング部材１９Ｄにより、受光センサ２０の受光窓２０ａが覆われるので遮光された状態となる。すると、受光センサ２０で、その遮光状態が検出され、当該受光センサ２０の検出出力により、スイッチ回路１８Ｄは、オフにされる。
【０１０４】
したがって、ＵＳＢコネクタ１７と充電式バッテリー１２との間の電気的接続はスイッチ回路１８Ｄにより遮断され、リング部材１９Ｄと筐体１１Ｄの径小部１１ＤＳとの間の隙間を通じて水分がＵＳＢコネクタ１７の差し込み口に侵入して、ＵＳＢコネクタ１７の接続用接点間がショートしても、充電式バッテリー１２からの電流が、ＵＳＢコネクタ１７を通じて流れることはないので、内部回路の破壊などの不測の事態が生じないようにすることができる。
【０１０５】
また、第２の状態から、リング部材１９Ｄがペン先側に摺動移動させられて、図９に示すように、リング部材１９Ｄの凹溝１９Ｄｂに、筐体１１Ｄの径小部１１ＤＳのリング状の突部１１ＤＳｃが嵌合する状態とすると第１の状態になる。
【０１０６】
すると、ＵＳＢコネクタ１７の差し込み口が、径小部１１ＤＳの開口部１１ＤＳａを通じて外部に露出する状態となる。また、受光窓２０ａが外部に露出するので、この受光窓２０ａを通じて受光センサ２０は、入射光を検出するので、その検出結果により、スイッチ回路１８Ｄは、オンとされる。
【０１０７】
したがって、ＵＳＢコネクタ１７と充電式バッテリー１２との間はスイッチ回路１８Ｄを通じて電気的に接続され、ＵＳＢコネクタ１７の差し込み口に、ＵＳＢケーブルの端部のコネクタジャックが差し込まれると、当該ＵＳＢコネクタ１７を通じて充電式バッテリー１２に充電電流が流れて、充電式バッテリー１２の充電が実行される。
【０１０８】
なお、リング部材１９Ｄの軸心方向の長さは、キャップ部材１５Ｄを装着したときに露出する筐体１１Ｄの径小部１１ＤＳの軸心方向の長さの１／２としたが、１／２よりも長くてもよいし、短くてもよい。
【０１０９】
なお、検出手段は、上述の例のような光学式のセンサを用いるものに限られるものではない。例えば、受光センサの代わりに磁気センサを設けると共に、制御部材側に、永久磁石などの磁界を発生する素子やデバイスを設け、磁界を発生する素子やデバイスからの磁界を磁気センサで検出することで、電子ペンの第１の状態と、第２の状態とを検出するようにする磁気的な検出手段を構成してもよい。
【０１１０】
半導体スイッチと検出手段とを用いて、電子ペンの第１の状態と第２の状態とを検出するようにする構成は、上述した第１〜第４の実施形態にも適用できると共に、後述する実施形態にも適用可能である。
【０１１１】
［第６の実施形態］
以上の実施形態は、ＵＳＢコネクタ１７の差し込み口を、電子ペンの筐体の側周面に設けた開口部から露出させる場合であったが、この発明は、電子ペンの筒状の筐体の後端側の開口からＵＳＢコネクタ１７の差し込み口が露出するような場合にも適用できる。以下に説明する第６の実施形態は、その場合の例である。
【０１１２】
図１１は、この第６の実施形態の電子ペン１Ｅの要部を説明するための図であり、当該電子ペン１Ｅの後端側の図である。
【０１１３】
図１１（Ａ）は、この第６の実施形態の電子ペン１Ｅの第１の状態を説明するための図であり、図１１（Ｂ）は、この第６の実施形態の電子ペン１Ｅの第１の状態において、筐体１１Ｅを後端側から軸心方向から見た図である。また、図１１（Ｃ）は、この第６の実施形態の電子ペン１Ｅの第２の状態における図である。この第６の実施形態の電子ペン１Ｅにおいても、第１の実施形態の電子ペン１と同様の部分には、同一参照符号を付してその説明は省略する。
【０１１４】
この第６の実施形態の電子ペン１Ｅの筐体１１Ｅは、第１の実施形態の電子ペン１の筐体１１と同様に、軸心方向の後端側に径小部１１ＥＳを備える。そして、この第６の実施形態の電子ペン１Ｅにおいては、図１１（Ａ）及び（Ｃ）に示すように、この筐体１１Ｅの径小部１１ＥＳと嵌合する部材として、キャップ部材１５Ｅが設けられる。この場合に、キャップ部材１５Ｅは、電子ペン１Ｅの筐体１１Ｅの径小部１１ＥＳに対して軸心方向に摺動移動可能の状態で嵌合される。すなわち、キャップ部材１５Ｅは筐体１１Ｅから取り外しが可能である。
【０１１５】
筐体１１Ｅの径小部１１ＥＳの中空部内には、図１１（Ａ）〜（Ｃ）に示すように、第１の実施形態の電子ペン１と同様に、プリント基板１３Ｐに配設されたＵＳＢコネクタ１７とスイッチ部材１８とが配設されている。ただし、この第６の実施形態の電子ペン１Ｅにおいては、ＵＳＢコネクタ１７の差し込み口が、図１１（Ｂ）に示すように、筒状の筐体１１Ｅの径小部１１ＥＳの、軸心方向の後端側の開口部１１ＥＳａから外部に露出することが可能なように、ＵＳＢコネクタ１７が、プリント基板１３Ｐ上に配設されている。
【０１１６】
また、スイッチ部材１８は、突起１８ａが、筐体１１Ｅの径小部１１ＥＳに設けられている開口部１１ＥＳｂから、当該径小部１１ＥＳの外表面よりも外側に突出するように、プリント基板１３Ｐ上に配設されている。
【０１１７】
一方、キャップ部材１５Ｅは、筐体１１の径小部１１Ｓに嵌合する凹穴１５Ｅａを備える構成とされている。この例のキャップ部材１５Ｅには、クリップ部材１６Ｅが取り付けられている。
【０１１８】
そして、この例では、筐体１１Ｅの径小部１１ＥＳとキャップ部材１５Ｅとが、第２の状態で、軸心方向において係止するようにするために、筐体１１Ｅの径小部１１ＥＳの先端側には、リング状に膨出された突部１１ＥＳｃが形成されていると共に、キャップ部材１５Ｅの凹穴１５Ｅａ内には、リング状の凹溝１５Ｅｂが形成されている。
【０１１９】
電気的な構成は、この第６の実施形態の電子ペン１Ｅにおいても、図３に示した第１の実施形態の電子ペン１と同様とされる。
【０１２０】
以上のように構成されているので、第６の実施形態の電子ペン１Ｅにおいて、キャップ部材１５Ｅを、筐体１１Ｅの径小部１１ＥＳに嵌合させて押し込むようにすると、径小部１１ＥＳのリング状の突部１１ＥＳｃが、キャップ部材１５Ｅの凹穴１５Ｅａのリング状の凹溝１５Ｅｂに嵌合して、キャップ部材１５Ｅは、筐体１１Ｅに対して係止する状態になる。
【０１２１】
この状態では、キャップ部材１５Ｅにより、筐体１１Ｅの径小部１１ＥＳの開口部１１ＥＳａは覆われてＵＳＢコネクタ１７の差し込み口は、外部に露出しない状態になる。また、キャップ部材１５Ｅにより、スイッチ部材１８の突起１８ａは、その筐体側に押し込まれる状態となり、スイッチ部材１８は、図３（Ａ）に示すように、開状態（スイッチオフ状態）となる。すなわち、電子ペン１Ｅは、第２の状態となり、電気的な構成においては、スイッチ部材１８が開状態になる。
【０１２２】
したがって、図３（Ａ）に示したように、ＵＳＢコネクタ１７と充電式バッテリー１２との間の電気的接続はスイッチ部材１８により遮断され、キャップ部材１５Ｅと筐体１１Ｅの径小部１１ＥＳとの間の隙間を通じて水分がＵＳＢコネクタ１７の差し込み口に侵入して、ＵＳＢコネクタ１７の接続用接点間がショートしても、充電式バッテリー１２からの電流が、ＵＳＢコネクタ１７を通じて流れることはないので、内部回路の破壊などの不測の事態が生じないようにすることができる。
【０１２３】
次に、図１１（Ｃ）に示す第２の状態から、キャップ部材１５Ｅを軸心方向に芯体１４のペン先側とは反対側に摺動移動させて、図１１（Ａ）に示すように、キャップ部材１５Ｅを筐体１１Ｅの径小部１１ＥＳから取り外すようにする。
【０１２４】
この状態では、図１１（Ａ）に示すように、筐体１１Ｅの径小部１１ＥＳの軸心方向の開口部１１ＥＳａはキャップ部材１５Ｅにより覆われることなく露出した状態となる。このため、図１１（Ｂ）に示すように、筐体１１Ｅの径小部１１ＥＳの軸心方向の開口部１１ＥＳａを介してＵＳＢコネクタ１７の接続用接点が形成されている差し込み口が外部に露出する状態になる。
【０１２５】
また、キャップ部材１５Ｅによるスイッチ部材１８の突起１８ａの押圧は無くなるので、図１１（Ａ）に示すように、突起１８ａが外部に突出する状態となり、スイッチ部材１８は、閉状態（スイッチオン状態）となる。こうして、電子ペン１Ｅは、第１の状態になる。
【０１２６】
したがって、図３（Ｂ）に示したように、ＵＳＢコネクタ１７と充電式バッテリー１２との間はスイッチ部材１８を通じて電気的に接続され、ＵＳＢコネクタ１７の差し込み口に、ＵＳＢケーブルの端部のコネクタジャックが差し込まれると、当該ＵＳＢコネクタ１７を通じて充電式バッテリー１２に充電電流が流れて、充電式バッテリー１２の充電が実行される。
【０１２７】
［第７の実施形態］
第７の実施形態は、第６の実施形態の電子ペン１Ｅと同様に、電子ペンの筒状の筐体の後端側の開口からＵＳＢコネクタ１７の差し込み口が露出する場合における他の例である。第６の実施形態の電子ペン１Ｅにおいては、制御部材は、キャップ部材を用い、当該キャップ部材を筐体の軸心方向に回転移動させることで、第１の状態と第２の状態とを現出するようにした。この第７の実施形態では、制御部材は、キャップ部材とするが、当該キャップ部材を回転させることで、第１の状態と第２の状態とを現出するようにする。
【０１２８】
図１２は、この第７の実施形態の電子ペン１Ｆを説明するための図であり、電子ペン１Ｆを、軸心方向において後端側から見た図である。この第７の実施形態の電子ペン１Ｆにおいては、筒状の筐体の径小部１１ＦＳに、キャップ部材１５Ｆを、回動可能の状態で嵌合する。
【０１２９】
筒状の筐体の径小部１１ＦＳの中空部内には、第６の実施形態の電子ペン１Ｅと同様に、ＵＳＢコネクタ１７の差し込み口が、図１２（Ａ）及び（Ｂ）に示すように、筒状の筐体の径小部１１ＦＳの、軸心方向の後端側の開口部１１ＦＳａから外部に露出することが可能なように、ＵＳＢコネクタ１７が、プリント基板（図示は省略）上に配設されている。
【０１３０】
そして、キャップ部材１５Ｆの軸心方向に直交する端面１５Ｆｓには、図１２（Ｂ）に示すように、ＵＳＢコネクタ１７の差し込み口を外部に露出させるようにするための開口部１５Ｆａが形成されている。この場合に、この第７の実施形態の電子ペン１Ｆにおいては、ＵＳＢコネクタ１７の差し込み口の位置は、筒状の筐体の径小部１１ＦＳの、軸心方向の後端側の開口１１ＦＳａの中央位置からずれた位置とされており、キャップ部材１５Ｆを、図１２（Ｂ）の状態から１８０度回転させると、図１２（Ａ）に示すように、ＵＳＢコネクタ１７の差し込み口の位置とは重ならずに、キャップ部材１５Ｆの軸心方向に直交する端面１５ＦｓがＵＳＢコネクタ１７の差し込み口を覆うような状態となるようにされている。
【０１３１】
すなわち、この第７の実施形態の電子ペン１Ｆにおいては、キャップ部材１５Ｆの回転方向位置が、図１２（Ｂ）に示すように、開口部１５Ｆａを通じて、ＵＳＢコネクタ１７の差し込み口を外部に露出させるようにする状態が第１の状態であり、図１２（Ｂ）の状態から１８０度回転させた図１２（Ａ）に示す回転方向位置では、第２の状態となる。そして、これら第１の状態及び第２の状態では、それぞれ上述の実施形態と同様にして、充電可能状態及び充電不可状態となる。
【０１３２】
なお、図１２では、図示を省略したが、キャップ部材１５Ｆの回転により、第１の状態では閉状態、第２の状態では開状態となるように構成されたスイッチ部材１８が、プリント基板上に、上述の実施形態と同様にして設けられている。
【０１３３】
なお、図１２の例では、省略したが、第１の状態の位置と、第２の状態の位置とで、キャップ部材１５Ｆが、筐体の径小部１１ＦＳに対して係止するようにすることができるように、キャップ部材１５Ｆの内壁面と、筐体の径小部１１ＦＳの外周側面との一方に突部、他方に凹部を設けるようにしてもよい。
【０１３４】
［第８の実施形態］
第８の実施形態は、ＵＳＢコネクタ１７の差し込み口を露出させるようにするための開口部が、電子ペンの筐体の側周面に設けられると共に、第４の実施形態と同様に、制御部材を回転させることにより、電子ペンにおいて、上述の第１の状態と第２の状態とを現出させるようにする例である。
【０１３５】
図１３は、この第８の実施形態の電子ペン１Ｇの要部を説明するための図であり、図１３（Ａ）は、この第８の実施形態の電子ペン１Ｇの第２の状態における図であり、図１３（Ｂ）は、この第８の実施形態の電子ペン１Ｇの第１の状態における図である。
【０１３６】
この第８の実施形態においては、第４の実施形態と同様に、制御部材としては、クリップ部材１６Ｇが固定されているキャップ部材１５Ｇを用いる。このキャップ部材１５Ｇは、この第８の実施形態では、図１３（Ａ）及び（Ｂ）に示すように、電子ペン１Ｇの筐体１１Ｇの後端側の径小部１１ＧＳに対して、回転可能の状態で嵌合されるようにされている。
【０１３７】
第４の実施形態では、キャップ部材１５ＣにＵＳＢコネクタ１７の差し込み口を露出させるようにするための開口部１５Ｃａを設けて、開口部１５Ｃａも、キャップ部材１５Ｃと共に回転するように構成し、第２の状態では、ＵＳＢコネクタ１７の差し込み口をキャップ部材１５Ｃで覆うようにした。
【０１３８】
これに対して、この第８の実施形態では、キャップ部材１５Ｇには、開口部は設けずに、筐体１１Ｇの周側面に、ＵＳＢコネクタ１７の差し込み口を露出させるようにするための開口部１１Ｇａを設ける。この開口部１１Ｇａは、図１３（Ａ）及び（Ｂ）に示すように、筐体１１Ｇにキャップ部材１５Ｇを嵌合したときに、筐体１１Ｇに対して回転可能であるキャップ部材１５Ｇに固定されているクリップ部材１６Ｇにより隠すことが可能な軸心方向位置に設けられる。そして、プリント基板１３Ｐには、この開口部１１Ｇａから、差し込み口が露出する状態となるように、ＵＳＢコネクタ１７が配設される。
【０１３９】
したがって、ＵＳＢコネクタ１７の差し込み口は、常に、開口部１１Ｇａを介して外部に露呈する状態となっている。しかしながら、この第８の実施形態の電子ペン１Ｇでは、図１３（Ａ）に示す第２の状態の位置においては、クリップ部材１６Ｇが、筐体１１Ｇの開口部１１Ｇａの真上に位置する回転角位置に在り、視覚上、ＵＳＢコネクタ１７の差し込み口は開口部１１Ｇａを通じて露出されていないように見える状態とされる。
【０１４０】
さらに、この第８の実施形態の電子ペン１Ｇのクリップ部材１６Ｇは、図８（Ａ）及び（Ｂ）に示すように、弾性的に変位可能であって、電子ペン１Ｇの軸心方向を長手方向とする板状のクリップ片１６Ｇｐを有すると共に、このクリップ片１６Ｇｐの幅方向の両側から、当該クリップ片１６Ｇｐの板状平面に直交する方向であって、電子ペン１Ｇの筐体１１Ｇ側に伸びる２個の壁部１６Ｇａ及び１６Ｇｂを備える。この例では、クリップ部材１６Ｇの２個の壁部１６Ｇａ及び１６Ｇｂは、クリップ部材１６Ｇにより、筐体１１Ｇの開口部１１Ｇａを外部に露出させないようなクリップ片１６Ｇｐの位置に形成されている。すなわち、この第８の実施形態の電子ペン１Ｇにおいては、図１３（Ａ）の第２の状態のときには、クリップ部材１６Ｇの２個の壁部１６Ｇａ及び１６Ｇｂの間に、筐体１１Ｇの開口部１１Ｇａが位置して、外部からは見えないように構成されている。
【０１４１】
したがって、第２の状態のときには、クリップ部材１６Ｇにより、コネクタ１７の差し込み口が開口部１１Ｇａから、見かけ上露出しないようにされると共に、クリップ部材１６Ｇの存在が邪魔になり、ＵＳＢケーブルのコネクタジャックを、ＵＳＢコネクタ１７の差し込み口に差し込むことはできない状態となっている。
【０１４２】
この第８の実施形態においては、図１３（Ａ）及び（Ｂ）に示すように、スイッチ部材１８は、筐体１１Ｇの径小部１１ＧＳの中空部内において、プリント基板１３Ｐに配設されている。そして、キャップ部材１５Ｇの内周壁面には、図１３（Ａ）に示す第２の状態においては、スイッチ部材１８の突起１８ａを、押下して、当該スイッチ部材１８を開状態（スイッチオフ状態）とするための突部１５Ｇａが形成されている。したがって、第２の状態では、上述したように、ＵＳＢコネクタ１７と充電式バッテリー１２との間がスイッチ部材１８により遮断された状態となる。
【０１４３】
この図１３（Ａ）の第２の状態からキャップ部材１５Ｇを９０度回転させると、図１３（Ｂ）に示すように第１の状態となる。この第１の状態では、クリップ部材１６Ｇがキャップ部材１５Ｇの回転に伴って回転するために、筐体１１Ｇの開口部１１Ｇａの上方は、開放され、ＵＳＢケーブルのコネクタジャックを、ＵＳＢコネクタ１７の差し込み口に差し込むことが可能な状態となる。また、この第１の状態においては、キャップ部材１５Ｇの内周壁面に設けられている突部１５Ｇａも共に回転するために、スイッチ部材１８の突起１８ａは、当該突部１５Ｇａにより押下される状態から解放されて突出する状態となり、スイッチ部材１８は、閉状態（スイッチオン状態）となる。
【０１４４】
したがって、第１の状態では、上述したように、ＵＳＢコネクタ１７と充電式バッテリーとの間がスイッチ部材１８を通じて電気的に接続された状態となり、ＵＳＢケーブルのコネクタジャックを、ＵＳＢコネクタ１７の差し込み口に差し込むことで充電式バッテリー１２への充電が実行される。
【０１４５】
なお、クリップ部材１６Ｇの壁部１６Ｇａ及び１６Ｇｂは、クリップ片１６Ｇｐの長手方向の一部に形成したが、クリップ片１６Ｇｐの長手方向の全体に亘って形成してもよい。
【０１４６】
［その他の実施形態または変形例］
以上は、この発明による電子ペンをアクティブ静電方式の電子ペンに適用した場合について説明したが、この発明による電子ペンは、センサとの間の結合方式はどのようなものでもよく、電磁誘導方式の電子ペンにも適用できることは勿論である。
【０１４７】
また、充電用接続端子部材は、上述の例ではタイプＣのＵＳＢコネクタとしたが、他のタイプのＵＳＢコネクタであっても勿論よい。また、充電用接続端子部材は、ＵＳＢコネクタに限られるものではなく、その他の汎用の充電用コネクタや専用の充電用コネクタであってもよい。
【符号の説明】
【０１４８】
１、１Ａ、１Ｂ、１Ｃ、１Ｄ、１Ｅ、１Ｆ…充電式電子ペン、１１、１１Ａ、１１Ｂ、１１Ｃ、１１Ｄ、１１Ｅ…筐体、１１Ｓ、１１ＡＳ、１１ＢＳ、１１ＣＳ、１１ＤＳ、１１ＥＳ、１１ＦＳ…筐体の径小部、１２…充電式バッテリー、１３…電子回路、１３Ｐ…プリント基板、１４…芯体、１５、１５Ａ、１５Ｂ、１５Ｃ、１５Ｄ、１５Ｅ、１５Ｆ…キャップ部材、１６、１６Ａ、１６Ｂ、１６Ｃ、１６Ｄ、１６Ｅ、１６Ｆ…クリップ部材、１７…ＵＳＢコネクタ、１８…スイッチ部材、１８Ｄ…スイッチ回路、１９、１９Ｄ…リング部材、２０…受光センサ
【図１】
2018198489.tif 000003
【図２】
2018198489.tif 000004
【図３】
2018198489.tif 000005
【図４】
2018198489.tif 000006
【図５】
2018198489.tif 000007
【図６】
2018198489.tif 000008
【図７】
2018198489.tif 000009
【図８】
2018198489.tif 000010
【図９】
2018198489.tif 000011
【図１０】
2018198489.tif 000012
【図１１】
2018198489.tif 000013
【図１２】
2018198489.tif 000014
【図１３】
2018198489.tif 000015
【手続補正書】
【提出日】令和1年8月7日(2019.8.7)
【手続補正１】
【補正対象書類名】明細書
【補正対象項目名】００４４
【補正方法】変更
【補正の内容】
【００４４】
この状態では、図２（Ｂ）及び（Ｃ）に示すように、筐体１１の径小部１１Ｓの開口部１１Ｓａはキャップ部材１５により覆われることなく露出した状態となる。このため、図２（Ｃ）に示すように、開口部１１Ｓａを介してＵＳＢコネクタ１７の接続用接点が形成されている差し込み口が外部に露出する状態になる。また、キャップ部材１５によるスイッチ部材１８の突起１８ａの押圧は無くなるので、図２（Ｂ）に示すように、突起１８ａが外部に突出する状態となり、スイッチ部材１８は、図３（Ｂ）に示すように、閉状態（スイッチオン状態）となる。すなわち、図２（Ｂ）及び（Ｃ）の状態では、電子ペン１は、第１の状態である。
【手続補正２】
【補正対象書類名】明細書
【補正対象項目名】００９１
【補正方法】変更
【補正の内容】
【００９１】
なお、上述の第４の実施形態の電子ペン１Ｃでは、第１の状態となる回転角位置と、第２の状態となる回転角位置を規定する手段については説明しなったが、筐体１１Ｃの径小部１１ＣＳの外表面と、キャップ部材１５Ｃの内壁面とに、それぞれ第１の状態となる回転角位置で嵌合する突起及び凹部を設けると共に、それぞれ第２の状態となる回転角位置で嵌合する突起及び凹部を設けることで、それぞれの状態を、いわゆるクリック感を持って係止させることができる。
【手続補正３】
【補正対象書類名】明細書
【補正対象項目名】０１４０
【補正方法】変更
【補正の内容】
【０１４０】
さらに、この第８の実施形態の電子ペン１Ｇのクリップ部材１６Ｇは、図１３（Ａ）及び（Ｂ）に示すように、弾性的に変位可能であって、電子ペン１Ｇの軸心方向を長手方向とする板状のクリップ片１６Ｇｐを有すると共に、このクリップ片１６Ｇｐの幅方向の両側から、当該クリップ片１６Ｇｐの板状平面に直交する方向であって、電子ペン１Ｇの筐体１１Ｇ側に伸びる２個の壁部１６Ｇａ及び１６Ｇｂを備える。この例では、クリップ部材１６Ｇの２個の壁部１６Ｇａ及び１６Ｇｂは、クリップ部材１６Ｇにより、筐体１１Ｇの開口部１１Ｇａを外部に露出させないようなクリップ片１６Ｇｐの位置に形成されている。すなわち、この第８の実施形態の電子ペン１Ｇにおいては、図１３（Ａ）の第２の状態のときには、クリップ部材１６Ｇの２個の壁部１６Ｇａ及び１６Ｇｂの間に、筐体１１Ｇの開口部１１Ｇａが位置して、外部からは見えないように構成されている。
【手続補正４】
【補正対象書類名】図面
【補正対象項目名】図２
【補正方法】変更
【補正の内容】
【図２】
2018198489.tif 000016
【手続補正５】
【補正対象書類名】図面
【補正対象項目名】図３
【補正方法】変更
【補正の内容】
【図３】
2018198489.tif 000017
【手続補正６】
【補正対象書類名】図面
【補正対象項目名】図４
【補正方法】変更
【補正の内容】
【図４】
2018198489.tif 000018
【手続補正７】
【補正対象書類名】図面
【補正対象項目名】図５
【補正方法】変更
【補正の内容】
【図５】
2018198489.tif 000019
【手続補正８】
【補正対象書類名】図面
【補正対象項目名】図７
【補正方法】変更
【補正の内容】
【図７】
2018198489.tif 000020
【手続補正９】
【補正対象書類名】図面
【補正対象項目名】図８
【補正方法】変更
【補正の内容】
【図８】
2018198489.tif 000021
【手続補正１０】
【補正対象書類名】図面
【補正対象項目名】図９
【補正方法】変更
【補正の内容】
【図９】
2018198489.tif 000022
【手続補正１１】
【補正対象書類名】図面
【補正対象項目名】図１３
【補正方法】変更
【補正の内容】
【図１３】
2018198489.tif 000023
【国際調査報告】
2018198489.tif 000024
2018198489.tif 000025
2018198489.tif 000026
2018198489.tif 000027